(57)【要約】【課題】従来電磁調理器で玉子の目玉焼きを調理すると玉子が破裂し電磁調理器では目玉焼きは出来ないが、玉子が破裂する事無く目玉焼きが可能な電磁調理器で目玉焼きが出来る調理器具を提供すること。【解決手段】マット上面に中空多角形又は中空丸形の突起を規則的に設けた調理器具とマット面にラップフィルムを敷きその上に玉子を入れる焼型とからなる調理器具。【選択図】  図  ２
0003111839.tif 000002
【実用新案登録請求の範囲】
【請求項１】
電磁調理器で玉子の目玉焼きを容易に行う調理器として、マイクロ波を透過するマット状のシート上面に規則的に凹凸を設け突起の上面は平面とし、その突起上面にラップフィルムを載せられる事を特徴とする電磁調理器で破裂しない目玉焼きの出来る調理器具。
【請求項２】
マット上面の凹凸は多種な中空多角形又は中空丸形形状で突起間の仕切りには切り欠きを設け通気性を持たせ突起高さは同一で規則的に配列されているもので、マットの形状大きさ厚さ，マットの材質はマイクロ波を透過するもので硬軟どちらでも良くマイクロ波により発熱発臭変形の無い材質なら特に制限しない事を特徴とする請求項１の電磁調理器で破裂しない目玉焼きの出来る調理器具。
【請求項３】
前記の調理器具のマットの使用方法は単独に皿等の上に置き調理可能とする、調理容器に固定又は取り外し可能な状態で使用、また各種形状の焼型をマットの上面に置きその中に玉子を入れ目玉焼きを完成させる、各種焼型の材質はマイクロ波を透過する物であれば特に規定しない等使用方法は特定しない事を特徴とする請求項１，２の電磁調理器で破裂しない目玉焼きの出来る調理器具。
【考案の詳細な説明】
【技術分野】
【０００１】本考案は、電磁調理器内で玉子の目玉焼きが出来る事を目的とする、この調理器具を使用せずに電磁調理器で玉子の目玉焼き実施すると玉子が破裂し目玉焼きが出来ないが、この調理器具のマット上に凹凸を作るために中空多角形又は中空丸形の突起を設けその上にラップフィルムを敷きその上に玉子を置きマイクロ波加熱する事で玉子が破裂する事無く調理を完成させる事が出来る調理器具。
【背景技術】
【０００２】電磁調理器内で玉子の目玉焼きを調理することは従来玉子が破裂する為目玉焼きは出来ないと考えられてきた。どうしても目玉焼きを調理したい場合は生状態の玉子の卵黄の部分に爪楊枝等で数箇所穴を開けてから電磁調理を実施し破裂をしない様にしている。【０００３】電磁調理器で卵黄部に手を加えず目玉焼きを破裂する事無く調理可能な調理器具は現在存在しない。
【考案が解決しようとする課題】
【０００４】本考案の課題は、上記の様な従来の欠点を解消し、卵黄部に手を加える事無く玉子の破裂を気にする事無く誰でも簡単に電磁調理器内で玉子の目玉焼きを調理できる調理器具を提供する事を課題とする。
【課題を解決するための手段】
【０００５】本考案は、電磁調理器で玉子の目玉焼きを可能とするためにマット上面に凹凸を設けるために中空多角形又は中空丸形の多種な突起を設けその凹凸をマット上面に規則的に配列し突起間の仕切り部に切り欠きを設け通気性を持たせ上面は平滑としたマットを作成しこのマットの上面にラップフィルムを敷きその上に玉子を置き電磁調理することで玉子を破裂させること無く目玉焼きを調理することが出来る調理器具によって解決される。
【考案の効果】
【０００６】本考案にかかる電磁調理器で破裂しない目玉焼きの出来る調理器具によれば、電磁調理器の時間設定のみで好みの硬さの目玉焼き料理が可能で玉子を破裂させる事無く調理が出来る。またフライパンでの調理と異なり目玉焼きを焼くときに油等の使用も必要無く、フライパンで目玉焼き完成までの時間に比較し短時間に料理を完成させる事が出来る。
【０００７】マット上面に敷かれたラップフィルムの上に溶き玉子を薄く入れマイクロ波加熱することで薄焼き玉子焼きを焼くことが出来る。
【考案を実施するための最良の形態】
【０００８】以下に本考案にかかる電磁調理器で破裂しない目玉焼きの出来る調理器具の好適な実施の形態を、添付図を参照しながら詳述する。図１は本考案にかかる電磁調理器で目玉焼きが出来る調理器具のマット上面に凹凸を設けるために中空多角形の突起の配列を示す平面図（Ａ）と側面図（Ｂ）である。図１のマット１上面に中空多角形の突起２とその中に設けられた円柱突起３から成る。中空多角形２の隣り合う仕切には切り欠き４を設け切り欠き４はマット１の面まで切り欠かれている構成である。中空多角形２の隣り合う仕切り断面２ａはマット１の底部に広がった円錐形状である。中空多角形突起２の高さはマット１の厚さより高く設定される。中空多角形突起２と円柱突起３の上面は平面と成っている。図３はマット１上の中空多角形２の配列状態の詳細を示す。【０００９】図２は電磁調理器で目玉焼きを行うときのマット１の使用方法を示す構成図の平面図（Ｃ）及び断面図（Ｄ）である。マット１上面にラップフィルム５を敷きその上に目玉焼き焼型８を乗せ焼型８内に玉子を入れると卵黄６及び卵白７が断面図（Ｄ）の状態となる。この状態でマイクロ波加熱されると玉子が破裂する事無く目玉焼きが完成する。目玉焼き完成後はラップフィルム５焼型８全体を移動し別の調理容器に移動し目玉焼き６，７を取り出す。図２ではマット１上では焼型８は１個であるが複数の焼型８を設置する事が可能である。【００１０】図４は目玉焼きが破裂しない変化の過程を示す図である。マット１上面に敷かれたラップフィルム５の上に置かれた焼型８と生状態の玉子の卵黄６卵白７及び卵黄保護膜６ａから成り玉子のマイクロ波過熱が始まると先ず卵白７と卵黄保護膜６ａが固まり始める、その後卵黄６が固まって行くこの場合卵黄６が固まるときには卵白７卵黄保護膜６ａは固形化している、卵黄６が固形化するときに卵黄６体積膨張する。この体積膨張分が本来なら卵白７及び卵黄保護膜６ａに向かって膨張するが卵黄６が固形化する時点では卵白７卵黄保護膜６ａは固形化しているため卵黄６の体積膨張分の逃げる所が無くなりマット１上面の中空多角形２上に敷かれたラップフィルム５の方向に体積膨張が逃げる。この体積膨張した分ラップフィルム５は固形化した卵白７卵黄膜６ａより柔軟性が有るため突起の空間部に押し込まれ体積変化分を吸収する事になる。この変化が有るため目玉焼きは破裂することが無く調理が可能と成る。【００１１】図５は調理容器９内にマット１を固定又は取り外し可能な状態にして入れラップフィルム５を敷きその上に玉子を入れ目玉焼きを完成させラップフィルム５を取り出すことで完成した目玉焼きを簡単に取り出せる。
【図面の簡単な説明】
【００１２】
【図１】  本考案にかかるマットの中空多角形突起の規則的配置平面図（Ａ）及び断面図（Ｂ）である。
【図２】  電磁調理器内に目玉焼きを実際に行う時に設置するマット上の配置図の平面図（Ｃ）及び断面図（Ｄ）である。
【図３】  本考案の凹凸を設けるための中空多角形突起の規則的配列の詳細組合せ例である。
【図４】  電磁調理器内に於ける玉子の調理状況と玉子の変化説明図である。
【図５】  調理容器内にマットを入れラップフィルムを敷き目玉焼きを完成させる説明図である。
【符号の説明】
【００１３】  １  凹凸付きマット
２  中空多角形突起
２ａ中空多角形突起の仕切り
３  中空多角形内に設置されている円錐突起
４  中空突起の仕切りの空気抜き切り欠き
５  マット上に設置されるラップフィルム
６  玉子の卵黄部分
６ａ玉子の卵黄部分の保護膜
７  玉子の卵白部分
８  焼型
９  調理容器
【図１】
0003111839.tif 000003
【図２】
0003111839.tif 000004
【図３】
0003111839.tif 000005
【図４】
0003111839.tif 000006
【図５】
0003111839.tif 000007